(57)【要約】【課題】浴室テレビシステムなどの機器操作システムにおいて、操作部の誤判定や受付不良の少ないシステムを提供することにある。【解決手段】モニタ装置２の制御部７は、モニタ装置２に設けられた本体操作部６による操作を受け付けると本体操作部６の受付感度を所定の高感度に設定し、本体操作部６からの操作を受け付けやすい状態として受付不良の発生を抑制する一方、ワイヤレスリモコン３からの操作信号を受け付けると本体操作部６の受付感度を低感度に設定し、本体操作部６への異物付着による本体操作部６の誤判定・誤動作を抑制する。【選択図】  図１
2010056981.tif 000002
【特許請求の範囲】
【請求項１】
電気機器を、電気機器本体に備えられた本体操作部とワイヤレスリモコンの双方から操作可能な機器操作システムにおいて、
前記電気機器の制御部は、前記本体操作部による操作を受け付けると前記本体操作部の受付感度を所定の高感度に設定し、前記ワイヤレスリモコンによる操作を受け付けると前記本体操作部の受付感度を所定の低感度に設定する制御構成を備えたことを特徴とする機器操作システム。
【請求項２】
前記制御部は、前記本体操作部またはワイヤレスリモコンでの操作を受け付けると、その都度前記本体操作部の受付感度の設定を行うように構成されていることを特徴とする請求項１に記載の機器操作システム。
【請求項３】
前記制御部は、前記所定の高感度または所定の低感度のいずれか一方を本体操作部の受付感度の初期設定値として用いることを特徴とする請求項１または２に記載の機器操作システム。
【請求項４】
前記本体操作部が静電容量型スイッチで構成されていることを特徴とする請求項１から３のいずれかに記載の機器操作システム。
【請求項５】
前記ワイヤレスリモコンが赤外線式のリモコンであることを特徴とする請求項１から４のいずれかに記載の機器操作システム。
【請求項６】
前記電気機器が浴室に設置されたモニタ装置であることを特徴とする請求項１から５のいずれかに記載の機器操作システム。
【発明の詳細な説明】
【技術分野】
【０００１】
この発明は機器操作システムに関し、より詳細には、操作部に静電容量型スイッチを備えた電気機器における当該スイッチ操作の受付感度の設定方法に関する。
【背景技術】
【０００２】
近時、入浴中においてもテレビジョン放送等の視聴ができるようにした浴室テレビシステムが提案されている。この種の浴室テレビシステムは、防水性を備えた薄型のモニタ装置を浴室の壁面に設置し、このモニタ装置を介してテレビジョン放送を視聴可能にしたものであり、該モニタ装置の前面には浴室テレビシステムの操作部（本体操作部）が設けられ、この本体操作部の操作により電源の入り／切りやチャンネルの選択、音量の調整等ができるように構成されている。また、この種の浴室テレビシステムには、モニタ装置の操作部とは別にワイヤレスリモコンも備えられており、このワイヤレスリモコンによっても電源の入り／切り等の各種操作ができるように構成されている。
【０００３】
一方、近時の電気機器においては、操作部に静電容量型スイッチ（静電容量検知式の近接スイッチ）を採用したものが多く提案されている（たとえば、特許文献１参照）。周知の如く、操作部に静電容量型スイッチを使用することにより操作部の表面をフラットな形状にすることができることから、操作部の成形が容易になるとともに意匠的に優れた電気機器を提供することができる。そのため、上述した浴室テレビシステムのモニタ装置における操作部についても静電容量型スイッチを採用することが望ましい。
【０００４】
【特許文献１】特開２００７−１２０８５７号公報
【発明の開示】
【発明が解決しようとする課題】
【０００５】
しかしながら、浴室テレビシステムの操作部として静電容量型スイッチを採用するには以下のような問題がありその改善が必要であった。
【０００６】
すなわち、浴室テレビシステムの操作部は、上述したように浴室の壁面に設置されるモニタ装置の前面に配置されることから、洗髪時などに操作部に水やせっけん類（ボディーソープやシャンプー等）等の異物が飛散・付着しやすい状況にある。そのため、静電容量型スイッチの感度が高く設定されているとこのような異物の付着によりスイッチが操作されたと誤判定・誤動作するおそれがある一方で、感度が低く設定されているとユーザが操作部を操作してもその操作が受け付けられない事態（受付不良）が生じ得るという問題があった。
【０００７】
本発明は、このような問題点に鑑みてなされたものであって、その目的とするところは、浴室テレビシステムなどの機器操作システムにおいて、操作部の誤判定や受付不良の少ないシステムを提供することにある。
【課題を解決するための手段】
【０００８】
上記目的を達成するため、本発明の請求項１に係る機器操作システムは、電気機器を、電気機器本体に備えられた本体操作部とワイヤレスリモコンの双方から操作可能な機器操作システムにおいて、上記電気機器の制御部は、上記本体操作部による操作を受け付けると上記本体操作部の受付感度を所定の高感度に設定し、上記ワイヤレスリモコンによる操作を受け付けると上記本体操作部の受付感度を所定の低感度に設定する制御構成を備えたことを特徴とする。
【０００９】
すなわち、この請求項１に係る機器操作システムでは、電気機器の制御部は本体操作部の受付感度として高低２種類の感度を切換可能に構成される。そして、制御部は、電気機器の本体操作部による操作を受け付けた場合には本体操作部の受付感度を高感度に設定し、それ以後の本体操作部での操作を受け付けやすい状態とする一方、ワイヤレスリモコンからの操作を受け付けた場合には本体操作部の受付感度を低感度に設定し、それ以後の本体操作部での操作を受け付けにくい状態とするように構成される。
【００１０】
つまり、本体操作部とワイヤレスリモコンの双方で操作可能に構成された電気機器において、ユーザがワイヤレスリモコンを使用せずに本体操作部を使用して操作を行った場合にはその後に続けて行われる操作も本体操作部で行われる傾向があることから、このような場合には本体操作部の受付感度を高感度に設定して本体操作部からの操作を受け付けやすい状態として受付不良の発生が少なくなるようにする一方、本体操作部を使用せずにワイヤレスリモコンを使用して操作を行った場合には、その後に続けて行われる操作はワイヤレスリモコンで行われる傾向があるので本体操作部の受付感度を低感度に設定し、本体操作部への異物の付着による誤判定・誤動作の発生が防止されるようにしている。
【００１１】
なお、ここで、制御部において切換可能とされる高低２種類の受付感度を具体的にどの程度の感度に設定するかは本体操作部の態様（本体操作部に用いられるスイッチの態様やその配設位置など）や周囲の環境（本体操作部への異物付着の可能性の程度や周囲の温度・湿度など）に応じて適宜設定される。
【００１２】
また、本発明の請求項２に係る機器制御システムは、請求項１に記載の機器操作システムにおいて、上記制御部は、上記本体操作部またはワイヤレスリモコンでの操作を受け付けると、その都度上記本体操作部の受付感度の設定を行うように構成されていることを特徴とする。
【００１３】
すなわち、請求項１に係る発明を適用するにあたり、たとえば、ユーザによる最初の操作が本体操作部またはワイヤレスリモコンのいずれで行われたかに応じて本体操作部の受付感度を設定するように構成することができるが、この請求項２の発明では、本体操作部またはワイヤレスリモコンでの操作が行われる度にその操作が本体操作部で行われたかワイヤレスリモコンで行われたかを制御部が判断して本体操作部の受付感度を設定するように構成されるので、たとえば、ユーザが本体操作部で操作を行った後にワイヤレスリモコンで操作を行ったり、ワイヤレスリモコンで操作を行った後に本体操作部で操作を行った場合のように、先の操作と後の操作が異なる部位（本体操作部またはワイヤレスリモコン）で行われた場合には、最後に行われた直近の操作（上記後の操作）に基づいて本体操作部の受付感度が設定される。したがって、この請求項２に係る機器操作システムでは、ユーザが操作部位を変更したような場合でも、操作部位の変更に対応して本体操作部の受付不良や誤判定・誤動作の防止を図ることができる。
【００１４】
また、本発明の請求項３に係る機器操作システムは、請求項１または２に記載の機器操作システムにおいて、上記制御部は、上記所定の高感度または所定の低感度のいずれか一方を本体操作部の受付感度の初期設定値として用いることを特徴とする。
【００１５】
すなわち、この請求項３に係る機器操作システムでは、制御部で切換可能とされている高低２種類の受付感度のうちのいずれか一方が本体操作部の受付感度の初期設定値として用いられることから、たとえば、初期設定値として高感度側を用いれば、電気機器の使用開始当初における本体操作部の受付不良を抑制できる。一方、低感度側に設定すれば、電気機器の不使用時等に本体操作部の誤判定を防止することができる。なお、高感度側、低感度側のいずれを初期設定値として用いるかは電気機器の種類や設置場所等に応じて適宜設定すればよい。
【００１６】
また、本発明の請求項４に係る機器操作システムは、請求項１から３のいずれかに記載の機器操作システムにおいて、上記本体操作部が静電容量型スイッチで構成されていることを特徴とする。すなわち、この請求項４に係る機器操作システムでは、本体操作部として静電容量型スイッチが用いられているので、本体操作部の表面をフラットな形状にすることができ、成形が容易で意匠的に優れた電気機器を提供することができる。
【００１７】
また、本発明の請求項５に係る機器操作システムは、請求項１から４のいずれかに記載の機器操作システムにおいて、上記ワイヤレスリモコンが赤外線式のリモコンであることを特徴とする。すなわち、この請求項５に係る機器操作システムによれば、ワイヤレスリモコンとして赤外線式のリモコンを備えた電気機器に本発明を適用することができる。
【００１８】
また、請求項６に係る機器操作システムは、請求項１から５のいずれかに記載の機器操作システムにおいて、上記電気機器が浴室に設置されたモニタ装置であることを特徴とする。すなわち、この請求項６に係る機器操作システムによれば、浴室テレビシステムで用いられるモニタ装置に本発明を適用することができる。したがって、水やシャンプー等の異物の付着し易い環境にある浴室テレビシステムのモニタ装置において、本体操作部の受付不良や誤判定・誤動作が少なく、しかも意匠性に優れたモニタ装置を提供することができる。
【発明の効果】
【００１９】
本発明によれば、電気機器の制御部が、電気機器の本体操作部による操作を受け付けると本体操作部の受付感度を所定の高感度に設定し、ワイヤレスリモコンによる操作を受け付けると本体操作部の受付感度を所定の低感度に設定する制御構成を備えていることから、本体操作部で操作が行われた場合には、それ以後における本体操作部の操作が受け付けやすい状態となり、本体操作部の操作の受付不良の発生が抑制される。その一方、ワイヤレスリモコンで操作が行われた場合には、それ以後における本体操作部の操作が受け付けにくい状態となり、本体操作部への異物の付着等による誤判定・誤動作の発生が抑制される。
【００２０】
また、本発明は、電気機器の制御部が、上記本体操作部またはワイヤレスリモコンでの操作を受け付けると、その都度上記本体操作部の受付感度の設定を行うように構成されることにより、たとえば、ユーザが本体操作部で操作を行った後にワイヤレスリモコンで操作を行った場合のように、先の操作と後の操作が異なる部位で行われた場合でも、後の操作に対応して本体操作部の受付感度が改めて設定されるので、本体操作部の操作性を確保し、本体操作部の受付不良や誤判定・誤動作の防止を図ることができる。
【００２１】
また、本発明は、電気機器の制御部において、上記所定の高感度または所定の低感度のいずれか一方を本体操作部の受付感度の初期設定値として用いることにより、電気機器の使用開始当初における本体操作部の受付不良を抑制または電気機器の不使用時等における本体操作部の誤判定を防止することができる。
【００２２】
また、本発明は、電気機器の本体操作部として静電容量型スイッチを用いることで、成形が容易で意匠的に優れた電気機器を提供することができる。しかも、ワイヤレスリモコンとして赤外線式のリモコンを用いることにより、赤外線式のリモコンを備えた各種電気機器に本発明を適用することができる。また、上記電気機器として浴室に設置されたモニタ装置を用いることで、水やシャンプー等の異物の付着し易い環境にある浴室テレビシステムのモニタ装置において、本体操作部の受付不良や誤判定・誤動作を少なくすることができる。
【発明を実施するための最良の形態】
【００２３】
以下、本発明の一実施形態を図面に基づいて詳細に説明する。
実施形態１
図１は本発明を適用した浴室テレビシステムの概略構成を示す説明図であり、図２は、同浴室テレビシステムのモニタ装置の外観構成を示す説明図である。
【００２４】
図１に示す浴室テレビシステムは、ワイヤレスリモコンにより遠隔操作が可能に構成された浴室テレビシステムであって、テレビジョン放送を受信するためのチューナ装置１と、該チューナ装置１で受信したテレビジョン放送を表示等するためのモニタ装置２と、これらを遠隔操作するためのワイヤレスリモコン３とを主要部として構成されている。
【００２５】
ここで、このような構成の浴室テレビシステム自体は既に公知であるのでその詳細な説明は省略するが、図１に示す浴室テレビシステムでは、チューナ装置１とモニタ装置２とが別体に構成された場合が示されている。なお、このようにチューナ装置１とモニタ装置２とを別体に構成する場合、モニタ装置２のみが浴室内（具体的には浴室壁面など）に設置され、チューナ装置１は天井裏などの浴室外部に設置される。そして、チューナ装置１に対する遠隔操作（たとえば、電源の入り／切り、チャンネルの選択、さらにはチューナ装置１がＤＶＤプレイヤ等の映像機器の接続が可能な外部入力機能を備える場合には外部入力との入力切替などの各種操作）は、ケーブル４を介してモニタ装置２側から行われるように構成されている。
【００２６】
モニタ装置２は、図１に示すように、モニタ部５と、本体操作部６と、制御部７と、赤外線受光部８とを主要部として備えている。モニタ部５は、図２に示すように、液晶表示パネルなどの表示デバイス１１とアンプ・スピーカなどの音声出力装置１２とを備えており、上記チューナ装置１から与えられる映像信号や音声信号がこのモニタ部５を介して表示等されるように構成されている。
【００２７】
本体操作部６は、モニタ装置２の前面に設けられる各種スイッチ１３〜１６を主要部として構成されている。図示例では、この本体操作部６として、電源スイッチ１３、入力切替スイッチ１４、音量調整スイッチ１５、チャンネル選択スイッチ１６を備えた場合を示している。そして、本実施形態では、これら各種スイッチ１３〜１６にはそれぞれ静電容量型スイッチが用いられており、ユーザはこれら各種スイッチ１３〜１６に軽く触れるだけで所望の操作ができるように構成されている。
【００２８】
なお、このように本体操作部６に静電容量型スイッチを採用したことにより、本体操作部６の表面（前面）をフラットな形状とすることができ、意匠的に優れたモニタ装置２を提供することができる。また、製造面においても本体操作部６を構成する筐体部分の構造を簡素化でき、その成形が容易となるので製造コストを抑えることができる。
【００２９】
ここで、静電容量型スイッチは、周知のとおり、検出電極に物体が接近したときの電極の静電容量の変化を検出して動作するスイッチであり、本実施形態では、この静電容量の変化に応じて検出回路（図示省略）から出力される電圧パルス（具体的には、単位時間あたりのパルス数）をカウントし、このカウント値が所定の基準値（スイッチ判定基準値）を超えた状態を所定時間持続した場合に制御部７がスイッチ操作ありと判定するように構成されている。
【００３０】
図３は、この制御部７での判定を模式的に示した説明図であり、図示のように、制御部７は、検出回路から出力されるカウント値を一定のサンプリング周期で監視し、このカウント値が上記スイッチ判定基準値を超えた状態を所定時間（具体的には、所定のサンプリング回数の間）持続したときにスイッチ操作有り（スイッチＯＮ）と判定するように構成されている。つまり、本体操作部６におけるスイッチ操作の受付感度は、上記スイッチ判定基準値と、このスイッチ判定基準値を超えた状態のサンプリング回数（上記所定のサンプリング回数）とによって設定されている。
【００３１】
したがって、制御部７において、上記スイッチ判定基準値を高く設定すれば、それに応じてスイッチ操作の受付感度は低くなる（大きな静電容量にしか反応しなくなる）。反対にスイッチ判定基準値を低く設定すれば、それに応じてスイッチ操作の受付感度は高くなる（わずかな静電容量で反応するようになる）。また、上記所定のサンプリング回数を多くすれば、長くスイッチを押さなければスイッチ操作有りと判定されなくなるのでその分感度が低下する一方、上記所定のサンプリング回数を少なくすれば、スイッチを押す時間が短くとも操作有りと判定されるようになり感度が高くなる。このように、本体操作部６における操作スイッチ１３〜１６の受付感度は制御部７において設定可能とされている。
【００３２】
一方、制御部７は、上記本体操作部６の操作ならびに後述する赤外線受光部８から与えられる操作信号に基づいてモニタ装置２各部の制御ならびにチューナ装置１の遠隔制御を行うための制御装置であってマイクロコンピュータを備えて構成されており、このマイクロコンピュータのプログラムによって上記モニタ装置２およびチューナ装置１の各種制御が実行される。特に本実施形態では、このプログラムの設定により、後述する本体操作部６におけるスイッチ操作の受付感度の設定・変更が行われるように構成されている。
【００３３】
赤外線受光部８は、ワイヤレスリモコン３から送信される赤外線信号（リモコンの操作信号）を受信するための受光部であって、この受光部８によって受信された遠隔操作信号は電気信号に変換されて上記制御部７に入力される。これにより、ワイヤレスリモコン３でなされた操作に応じた操作信号が制御部７に入力され、制御部７がこの操作信号に応じてモニタ装置２及びチューナ装置１を制御するように構成されている。なお、図２において符号１７は赤外線受光用の窓部を示している。
【００３４】
ワイヤレスリモコン３は、その操作部として複数の操作スイッチ２０を備えたリモコンであって、操作スイッチ２０の操作に応じて生成される操作信号を赤外線信号で出力する赤外線式のリモコンで構成される。ここで、赤外線式のリモコン自体の構成は周知であるので詳細な説明は省略するが、このワイヤレスリモコン３の操作スイッチ２０としては、上述した本体操作部６とは異なり感圧式のメカニカルスイッチが採用されている。
【００３５】
しかして、このように構成された浴室テレビシステムにおいて、本実施形態ではモニタ装置２の本体操作部６（各種操作スイッチ１３〜１６）に静電容量型スイッチを採用するにあたり、浴室テレビシステムに対する遠隔操作がモニタ装置２の本体操作部６（各種操作スイッチ１３〜１６）で行われたか、あるいは、ワイヤレスリモコン３の操作部（操作スイッチ２０）で行われたかに応じて、制御部７が本体操作部６の操作スイッチ１３〜１６の受付感度の設定を変更するように構成されている。
【００３６】
図４は、制御部７における本体操作部６の受付感度の設定手順の一例を示すフローチャートである。
【００３７】
この図４に示す制御では、制御部７は本体操作部６を構成する各種操作スイッチ１３〜１６の受付感度として高低２種類の感度を設定するように構成されている。具体的には、制御部７は、通常の感度（スイッチ操作を受け付けやすい状態）と、該通常の感度よりも低い感度（スイッチ操作を受け付けにくい状態）の設定が可能に構成されており、このうちの通常の感度が制御部７の初期設定値とされている。すなわち、浴室テレビシステムの電源がオフの状態では上記通常の感度が本体操作部６の受付感度に設定されている。
【００３８】
そして、この状態でワイヤレスリモコン３においてスイッチ操作（たとえば、電源オンの操作）がなされ、その操作信号が制御部７において受け付けられると（図４ステップＳ１でＹｅｓ）、制御部７は本体操作部６の受付感度を通常の感度よりも低い感度（低感度）に設定する（図４ステップＳ２参照）。
【００３９】
ここで、ワイヤレスリモコン３の操作が行われると本体操作部６の受付感度を下げるのは、ユーザがワイヤレスリモコン３を使用して浴室テレビシステムの操作を行った場合、その後に続く操作（たとえば、チャンネルの選択操作や音量の調整操作）もワイヤレスリモコン３で行われる蓋然性が高い（つまり、本体操作部６が操作される可能性が低い）一方、ワイヤレスリモコン３が操作されたということはユーザがモニタ装置２の近く（浴室内）にいることを意味し、洗髪等により本体操作部６に水やシャンプーなどの異物が付着する可能性が高いので、これら異物の付着により本体操作部６がスイッチ操作ありと誤判定することを防止するためである。
【００４０】
そして、たとえばワイヤレスリモコン３の操作後に本体操作部６の操作がされた場合（たとえば、チャンネルの選択操作や音量の調整操作などがされた場合）には、制御部７がその操作を受け付けると（図４ステップＳ３でＹｅｓ）、制御部７は本体操作部６の受付感度を通常の感度（高感度）に復帰させる（図４ステップＳ４参照）。
【００４１】
つまり、本体操作部６が使用された場合には、それに続く操作も本体操作部６側で行われる可能性が高いので、本体操作部６の受付感度を上げて当該操作が受け付けられ易いように設定を変更する。これにより、ユーザはその後の本体操作部６の操作において必要以上に操作スイッチを強く押したり、長押ししなくとも受付不良なく快適に本体操作部６の操作を行うことができるようになる。
【００４２】
なお、この後、再びユーザがワイヤレスリモコン３による操作を行った場合は、図４ステップＳ１の判断が肯定的となり、再び制御部７は本体制御部６の受付感度を低感度に設定する（図４ステップＳ２参照）。以下、本体操作部６の操作がされた場合も上記同様である（図４ステップＳ３、Ｓ４参照）。このように、本実施形態では、制御部７は、本体操作部６またはワイヤレスリモコン３での操作を受け付けると、その都度本体操作部６の受付感度の設定を行うように構成されているので、ユーザが先の操作と異なる部位で操作を行った場合でも、操作部位の変更に対応して本体操作部６の受付不良や誤判定の防止が図られる。
【００４３】
そして、ユーザがワイヤレスリモコン３または本体操作部６により浴室テレビシステムの電源を切る操作（電源オフ操作）を行った場合には、当該操作を受け付けた制御部７は、本体操作部６の受付感度を通常の感度（高感度）に復帰させて待機状態となる。
【００４４】
このように、本実施形態に示す浴室テレビシステムでは、モニタ装置２の制御部７は、本体操作部６による操作を受け付けると本体操作部６の受付感度を所定の高感度に設定し、ワイヤレスリモコン３による操作を受け付けると本体操作部６の受付感度を所定の低感度に設定するようにされているので、本体操作部６への異物付着による誤判定や受付不良の少ない浴室テレビシステムを提供することができる。
【００４５】
なお、上述した実施形態では、制御部７の初期設定値として通常の感度（高感度）を用いた場合を示したが、この初期設定値としては通常の感度より低い感度（低感度）を用い、本体操作部６での操作を受け付けたときに高感度に変更するように設定することも可能である。
【００４６】
すなわち、この場合、浴室テレビシステムが電源オフの状態にあるときの本体操作部６の受付感度は低感度に設定されているので、たとえば、浴室の清掃時などに本体操作部６に軽く触れた程度では制御部７は操作を受け付けないようにでき、浴室テレビシステムの誤動作を防止することができるようになる。
【００４７】
実施形態２
次に本発明の他の実施形態について説明する。
この第２の実施形態では、制御部７の初期設定値として通常より低い感度（低感度）が設定され、この状態で本体操作部６の操作が制御部７に受け付けられると、該制御部７は本体操作部６の受付感度を通常の感度（高感度）に設定する。そして、当該本体操作部６の操作を受け付けてから（つまり、受付感度を高感度に設定してから）所定時間が経過するか、当該所定時間内にワイヤレスリモコン３での操作がなされると、本体操作部６の感度を初期設定値である低感度に復帰させるように構成される。
【００４８】
つまり、この実施形態では、本体操作部の受付感度の切替条件として、上述した実施形態１に示した本体操作部６またはワイヤレスリモコン３の操作に加えて、感度変更からの経過時間が条件とされる。
【００４９】
ここで、上記所定時間としては、スイッチ操作が連続して行われる可能性が高い比較的短い時間（たとえば、数十秒〜数分程度）を用いることができる他、たとえば、入浴中におけるテレビ視聴時間の全体をカバーできるように比較的長時間（たとえば、数十分〜１，２時間程度）としておくこともできる。
【００５０】
そして、本実施形態も上記実施形態１の場合と同様に、制御部７の初期設定値を反転させて、たとえば、制御部７の初期設定値として通常の感度（高感度）を設定しておき、この状態でワイヤレスリモコン３の操作が制御部７に受け付けられると、該制御部７は本体操作部６の受付感度を通常より低い感度（低感度）に設定する。そして、ワイヤレスリモコン３の操作を受け付けてから（つまり、受付感度を低感度に設定してから）所定時間が経過するか、当該所定時間内に本体操作部６での操作がなされると、本体操作部６の感度を初期設定値である高感度に復帰させるように構成することもできる。
【００５１】
なお、上述した実施形態はあくまでも本発明の好適な実施態様を示すものであって、本発明はこれらに限定されることなくその範囲内で種々の設計変更が可能である。
【００５２】
たとえば、上述した実施形態では、本体操作部６の受付感度の設定について、本体操作部６を構成する各種操作スイッチ１３〜１６の感度を一律に変更する場合を示したが、個々の操作スイッチごとに受付感度の設定を変更するように構成することもできる。
【００５３】
すなわち、制御部７におけるスイッチ操作有無の判定は個々の操作スイッチごとに行われるので、たとえば、本体操作部６の音量アップスイッチ１５ａが操作された場合には、当該音量アップスイッチ１５ａが連続して操作される可能性が高いので音量アップスイッチ１５ａについてのみ受付感度を高感度に設定したり、あるいは、音量調整に関する音量アップスイッチ１５ａと音量ダウンスイッチ１５ｂのみを高感度に設定するなど、関連する操作スイッチを予め設定しておき当該スイッチのみを高感度に設定し、その他の操作スイッチは低感度に設定するように構成することもできる。
【００５４】
また、制御部７における受付感度の設定は、上述した上記スイッチ判定基準値と、このスイッチ判定基準値を超えた状態のサンプリング回数（上記所定のサンプリング回数）の双方を変更することにより本体操作部６の受付感度を変更するように構成することも可能であるが、いずれか一方のみを変更することで受付感度を変更するように構成することも可能である。
【００５５】
また、上述した実施形態では、本体操作部６の受付感度として高低２種類の感度を設定した場合を示したが、この受付感度は高低二段階に限らず三段階以上に設定することもできる。たとえば、受付感度の初期設定値として標準感度を設定し、ワイヤレスリモコン３が操作されると本体操作部６の受付感度を上記標準感度よりも感度の低い低感度（つまり、スイッチ操作を受け付け難く）に設定し、本体操作部６が操作されると本体操作部６の受付感度を上記標準感度よりも高い高感度（つまり、スイッチ操作を受け付け易く）に設定したりすることができる他、モニタ装置２の電源スイッチ１３がオフの状態にあるときを最低感度（スイッチ操作を最も受け付け難い状態）とし、電源スイッチ１３がオン状態にあるときは本体操作部６またはワイヤレスリモコン３のいずれで操作がなされるかに応じて、上記最低感度よりも高く設定された高感度と低感度とを切り替えるように構成することもできる。
【００５６】
また、上述した実施形態では、ワイヤレスリモコン３として赤外線式のリモコンを用いた場合を示したが、ワイヤレスリモコンであれば電波方式のリモコンを使用してもよい。また、上述した実施形態では、本体操作部６として静電容量型スイッチを用いた場合を示したが、本体操作部６のスイッチとしては受付感度の設定が可能な操作スイッチであれば、他の態様のスイッチを使用することもできる。さらに、本発明が適用される電気機器として、上述した実施形態では浴室テレビシステムのモニタ装置２を用いたが、本発明はこれに限られず、他の電気機器にも勿論適用可能である。
【図面の簡単な説明】
【００５７】
【図１】本発明を適用した浴室テレビシステムの概略構成を示す説明図である。
【図２】同浴室テレビシステムのモニタ装置の外観構成を示す説明図である。
【図３】同浴室テレビシステムのモニタ装置の制御部における本体操作部のスイッチ操作の判定を模式的に示した説明図である。
【図４】同浴室テレビシステムのモニタ装置の制御部における本体操作部の受付感度の設定手順の一例を示すフローチャートである。
【符号の説明】
【００５８】
１            チューナ装置
２            モニタ装置（電気機器）
３            ワイヤレスリモコン
５            モニタ部
６            本体操作部
７            制御部
８            赤外線受光部
１１          表示デバイス
１３〜１６    本体操作部の操作スイッチ
【図１】
2010056981.tif 000003
【図２】
2010056981.tif 000004
【図３】
2010056981.tif 000005
【図４】
2010056981.tif 000006